(57)【要約】【課題】  梱包強度の向上により室外機の天板の損傷を防止する梱包装置を提供する。【解決手段】  被梱包体３の底部及び天部に、それぞれ段ボール製の箱型外装体５，７を配置し、これら箱型外装体間を、複数のバンド８で被梱包体ごと結束してなる梱包装置において、天部の箱型外装体５が、段ボール製の箱型外装部材１３と、この箱型外装部材１３の内側に配置される一対の緩衝部材１５とを備え、この緩衝部材１５が被梱包体３の天面の中央部近くで、その外側より低くなる低部１５Ｄを有し、この低部分同士を跨ぐ略コ字状の段ボール材１７を配置した。【選択図】      図３
2004217307.tif 000002
【特許請求の範囲】
【請求項１】
被梱包体の底部及び天部に、それぞれ段ボール製の箱型外装体を配置し、これら箱型外装体間を、複数のバンドで被梱包体ごと結束してなる梱包装置において、
前記被梱包体の天部の箱型外装体が、段ボール製の箱型外装部材と、この箱型外装部材の内側に配置された一対の緩衝部材とを備え、
これら一対の緩衝部材は、被梱包体の天面の中央部近くで、その他の部分より低くなる低部を有し、この低部分同士を跨ぐように略コ字状の段ボール材が前記一対の緩衝部材間に配置されていることを特徴とする梱包装置。
【請求項２】
前記緩衝部材の低部の低さは、前記略コ字状の段ボール材の厚さと略等しく設定されていることを特徴とする請求項１に記載の梱包装置。
【請求項３】
前記段ボール材は、前記被梱包体の横幅に応じて、それの幅を変更して配置する構成としたことを特徴とする請求項１に記載の梱包装置。
【発明の詳細な説明】
【技術分野】
【０００１】
本発明は、例えば分離型空気調和機の室外機を梱包するための梱包装置に関する。
【背景技術】
【０００２】
一般に、圧縮機、ファン、熱交換器などを収納した分離型空気調和機の室外機が知られている。従来、この室外機の梱包装置として、室外機本体の底部及び天部に、それぞれ内部に緩衝材を有する段ボール製の箱型外装体を配置し、これら箱型外装体間を、複数のバンドで室外機ごと結束してなる梱包装置が提案されている（例えば、特許文献１参照）。
【特許文献１】特開平１０−２０３５６５号公報
【発明の開示】
【発明が解決しようとする課題】
【０００３】
しかしながら、従来の構成では、天部の箱型外装体の内部に配置された発泡スチロール製の緩衝部材が、室外機の天板の略中央を除いてあてがわれているため、室外機の天板の略中央においては、段ボール製の箱型外装部材によって保護されているだけであり、天部の箱型外装体の略中央に荷重がかかった場合には梱包強度が不足する恐れがある。特に室外機の天板は、鋼板製の板材で形成されているが、その内側は中空となっているため、室外機の天板に大きな荷重がかかった場合や、作業員が梱包された室外機の上に乗った場合には、室外機が損傷する恐れがある。
【０００４】
ここで、天部の箱型外装体の内部全体に発泡スチロール製の緩衝部材を配置すれば、梱包強度を高めることができるが、その場合、緩衝部材が大型になり加工費が高くなるなどの問題がある。
【０００５】
一方、従来の構成では、天部の箱型外装体によって室外機の天板が覆われていたため、作業員は、梱包してあれば強度が十分であると誤解して、梱包された室外機の上に乗って作業する場合も多々あった。
【０００６】
本発明は、上述した従来の技術が有する課題を解消し、梱包強度を向上させることにより、室外機の天板の損傷を防止することが可能な梱包装置を提供することを目的としている。
【課題を解決するための手段】
【０００７】
請求項１に記載の発明は、被梱包体の底部及び天部に、それぞれ段ボール製の箱型外装体を配置し、これら箱型外装体間を、複数のバンドで被梱包体ごと結束してなる梱包装置において、前記被梱包体の天部の箱型外装体が、段ボール製の箱型外装部材と、この箱型外装部材の内側に配置された一対の緩衝部材とを備え、これら一対の緩衝部材は、被梱包体の天面の中央部近くで、その他の部分より低くなる低部を有し、この低部分同士を跨ぐように略コ字状の段ボール材が前記一対の緩衝部材間に配置されていることを特徴とする。
【０００８】
請求項２に記載の発明は、請求項１記載の梱包装置において、前記緩衝部材の低部の低さは、前記略コ字状の段ボール材の厚さと略等しく設定されていることを特徴とする。
【０００９】
請求項３に記載の発明は、請求項１記載の梱包装置において、前記段ボール材は、前記被梱包体の横幅に応じて、それの幅を変更して配置する構成としたことを特徴とする。
【発明の効果】
【００１０】
本発明の梱包装置においては、被梱包体の底部及び天部に、それぞれ段ボール製の箱型外装体を配置し、これら箱型外装体間を、複数のバンドで被梱包体ごと結束してなる梱包装置において、前記被梱包体の天部の箱型外装体が、段ボール製の箱型外装部材と、この箱型外装部材の内側に配置された一対の緩衝部材とを備え、これら一対の緩衝部材は、被梱包体の天面の中央部近くで、その他の部分より低くなる低部を有し、この低部分同士を跨ぐように略コ字状の段ボール材が前記一対の緩衝部材間に配置されているから、梱包体の上面を十分に保護するこが可能になり、被梱包体の上面が損傷されるのを防ぐことができる。
【実施例１】
【００１１】
以下、本発明の一実施例を添付図面に従って説明すると、図１において、１は梱包装置であり、この梱包装置１は被梱包体として、例えば、分離型空気調和機の室外機３を梱包するものであり、そして、前記室外機３の底部及び天部を覆う上下の箱型外装体５，７から構成されている。また、梱包装置１は、短手方向に２本のバンド８，８を、長手方向に１本のバンド８を巻き付けることによって結束される。また図示は省略したが、前記室外機３は、梱包する際にポリエチレン袋に入れられ、塵埃等の付着を防止している。
【００１２】
また、前記室外機３は、図２に示すように、鋼板製の底板１０３の上に、同じく鋼板製の仕切り板１０５が立てて設けられ、この仕切り板１０５の両側に熱交換室Ａ及び機械室Ｂを備えて構成されている。
【００１３】
前記機械室Ｂには、冷凍サイクルの一部を構成する圧縮機１０７、アキュムレータ１０９、冷媒配管１１１、さらには電装箱１１３等が配置され、熱交換室Ａには室外熱交換器１１５、室外送風機１１７等が設置されている。
【００１４】
前記熱交換室Ａ及び機械室Ｂは、両サイドが一対の鋼板製の側板１２１で覆われ、底部が底板１０３で覆われ、上部が鋼板製の天板１２３で覆われ、前部が同じく鋼板製の前板１２５で覆われている。この前板１２５と天板１２３とは一体に成形されて略Ｌ字状に形成されている。
【００１５】
図２に示されるように、前記熱交換室Ａには、底板１０３と天板１２３との間に位置して室外送風機１１７が設置されているが、その他の部分は空間になっており、また、前記熱交換室Ａの天部は、鋼板製の天板１２３のみで覆われているため、室外機３は上方向からの耐荷重には弱いものである。
【００１６】
図３及び図４に示すように、室外機３の下部側に配置される底部の箱型外装体５は、室外機３の底板１０３及びこれに隣接する側面１０４Ａ〜１０４Ｄを保護するものであり、そして、この箱型外装体５は、段ボール製の箱型外装部材９と、発泡スチロール製の一対の緩衝部材１１，１１とから構成されている。一方、天部の箱型外装体７は、前記室外機３の天板１２３及びこれに隣接する側面１０６Ａ〜１０６Ｄを保護するものであり、段ボール製の箱型外装部材１３と、発泡スチロール製の一対の緩衝部材１５，１５と、段ボール材１７とから構成されている。
【００１７】
前記箱型外装部材９は、段ボール紙を折り曲げる等してトレー状に形成され、一対の緩衝部材１１，１１を下に配置した室外機３の底部を、一対の緩衝部材１１，１１ごと覆うように配置される。また、前記一対の緩衝部材１１，１１は、室外機３の底部において、室外機３の側板１２１の下縁１９を保護する短部１１Ａと、その下縁１９に隣接した底板１０３の両縁２１を保護する側部１１Ｂ，１１Ｂとを備え、略コ字状に一体成形されている。
【００１８】
箱型外装部材１３は、段ボール紙を折り曲げる等してトレー状に形成され、左右一対の緩衝部材１５，１５とそれらに跨るように段ボール材１７を配置した状態の室外機３の天部を覆うように配置される。また、前記一対の緩衝部材１５は、室外機３の天部において、室外機３の側板１２１の上縁２３を保護する短部１５Ａと、この上縁２３に隣接する天板１２３の両縁２５を保護する側部１５Ｂ，１５Ｂと、更に側部１５Ｂの内端１５Ｃから両縁２５に沿って延出した低部１５Ｄ，１５Ｄとを備え、略コ字状に一体成形されている。
【００１９】
前記緩衝部材１５はの低部１５Ｄは、段ボール材１７を配置するために設けられるため、側部１５Ｂの上面１５Ｅから段ボール材１７の厚さだけ一段低く形成されている。即ち、前記一対の緩衝部材１５，１５における低部１５Ｄの低さは、前記略コ字状の段ボール材１７の厚さと略等しく設定されている。また、前記段ボール材１７は、低部１５Ｄに配置するように幅を調整し、略コ字状に折り曲げ形成されている。
【００２０】
この一実施例では、室外機３を箱型外装体５，７で梱包することによって、梱包装置１の上方向からの荷重に対する梱包強度は従来のものより向上し、室外機３の天板１２３の損傷は防止される。また、前記一対の緩衝部材１５，１５の低部１５Ｄに略コ字状に折曲形成された段ボール材１７が配置されることにより、緩衝部材１５と段ボール材１７とが略面一になるとともに、緩衝部材１５と箱型外装部材１３とで段ボール材１７を挟み込むため、段ボール材１７がずれる心配がない。
【００２１】
また、前記室外機２の天板１２３の長手方向に対応する前記段ボール材１７の幅を変更することにより、緩衝部材１５を共通部材として、種々の横幅を有する室外機３の梱包を可能となせるものである。
【実施例２】
【００２２】
また、図５及び図６に別の実施例を示す。３１は梱包装置である。この梱包装置３１は上記室外機３を梱包するものであり、室外機３の底部及び天部を覆う箱型外装体３３，３５から構成されている。梱包装置３１は短手方向に２本、長手方向に１本のバンド３２によって結束されている。また図示は省略したが、梱包する際に室外機３はポリエチレン袋に入れられ、塵埃等の付着を防止している。
【００２３】
底部の箱型外装体３３は、図６に示すように、室外機３の底板１０３及びこれに隣接する側面１０８Ａ〜Ｄを保護するものであり、段ボール製の箱型外装部材３７と発泡スチロール製の一対の緩衝部材３９とから構成されている。天部の箱型外装体３５は、室外機３の天板１２３及びこれに隣接する側面１１０Ａ〜１１０Ｄを保護するものであり、段ボール製の箱型外装部材４１と発泡スチロール製の一対の緩衝部材４３とから構成されている。
【００２４】
箱型外装部材３７は、段ボール紙を折り曲げる等してトレー状に形成され、一対の緩衝部材３９を配置した室外機３の底部を覆うように配置される。また、この一対の緩衝部材３９は、室外機３の底部において、室外機３の側板１２１の下縁４７を保護する短部３９Ａと、この両縁４７に隣接した底板１０３の両縁４９を保護する側部３９Ｂとを備え、略コ字状に一体成形されている。
【００２５】
箱型外装部材４１は、段ボール紙を折り曲げる等してトレー状に形成され、一対の緩衝部材４３を配置した室外機３の天部を覆うように配置される。この箱型外装部材４１は、室外機３の天板１２３が臨むように、箱型外装部材４１の上面４１Ａの略中央に開口４５を設けている。また、この一対の緩衝部材４３は、室外機３の天部において、室外機３の側板１２１の上縁５１を保護する短部４３Ａと、この上縁５１に隣接する天板１２３の両縁５３を保護する側部４３Ｂとを備え、略コ字状に一体成形されている。
【００２６】
この別の実施例では、梱包装置３１は箱型外装体３５によって梱包後も室外機３の天板１２３が臨むこととなる。一方、室外機３は上方向からの耐荷重に弱いという事を、室外機３を取り扱う作業員が認識しているか否かに係わらず、梱包後において、箱型外装部材４１の開口４５に天板１２３が臨む場合には、作業員に対して、梱包されていても室外機３の上に乗ると天板１２３が損傷するという注意喚起がなされることとなる。従って、作業員が誤って梱包された室外機３
の上に乗ることは防止され、ひいては室外機３の天板１２３の損傷は防止される。
【００２７】
以上、一実施例に基づいて本発明を説明したが、本発明はこれに限定されるものではなく、種々変更が可能である。
【図面の簡単な説明】
【００２８】
【図１】本発明の一実施例を示す室外機を梱包した状態の梱包装置の斜視図である。
【図２】本発明の一実施例を示す被梱包体としての室外機の分解斜視図である。
【図３】本発明の一実施例を示す梱包装置を室外機から分離させた状態の分解斜視図である。
【図４】本発明の一実施例における一対の緩衝部材と板ボール材とを室外機に配置した状態を示す斜視図である。
【図５】本発明の別の実施例を示す室外機を梱包した状態の梱包装置の斜視図である。
【図６】本発明の別の実施例を示す梱包装置を室外機から分離させた状態の分解斜視図である。
【符号の説明】
【００２９】
１    梱包装置
３    室外機
５    上の箱型外装体
７    下の箱型外装体
８    バンド
９    下の箱型外装部材
１１    下の緩衝部材
１３    上の箱型外装部材
１５    上の緩衝部材
１５Ｄ  低部
１７    段ボール材
１０３    底板
１２１    側板
１２３    天板
【図１】
2004217307.tif 000003
【図２】
2004217307.tif 000004
【図３】
2004217307.tif 000005
【図４】
2004217307.tif 000006
【図５】
2004217307.tif 000007
【図６】
2004217307.tif 000008